【手続補正書】
【提出日】平成26年3月18日(2014.3.18)
【手続補正１】
【補正対象書類名】特許請求の範囲
【補正対象項目名】全文
【補正方法】変更
【補正の内容】
【特許請求の範囲】
【請求項１】
入力される画像データに基づく画像を表示する表示パネルと、
複数の光源ブロックを有し前記表示パネルに光を照射する発光手段と、
画像データを入力するとともに、他の画像表示装置においてその画像データが表示された時の当該他の画像表示装置の表示パネルにおける当該他の画像表示装置の発光手段による照射光の光量分布を示す光量情報を入力する入力手段と、
前記表示パネルにおける前記発光手段による照射光の光量分布が、前記光量情報に示される光量分布に一致又は近似するように、前記複数の光源ブロックのそれぞれの発光を制御する制御手段と、
を有する画像表示装置。
【請求項２】
前記表示パネルにおける前記発光手段による照射光の光量分布と、前記光量情報に示される光量分布と、が一致しない場合、照射光の光量が一致しない領域の画像データに対し、照射光の光量の差分に基づき輝度を補正する補正手段を有し、
前記表示パネルは、前記補正手段による補正後の画像データに基づく画像を表示する請求項１に記載の画像表示装置。
【請求項３】
第１の画像表示装置及び第２の画像表示装置へ画像データを出力する画像出力装置であって、
前記第１の画像表示装置は、
入力される画像データに基づく画像を表示する表示パネルと、
複数の光源ブロックを有し前記表示パネルに光を照射する発光手段と、
入力される画像データに応じて前記複数の光源ブロックのそれぞれの発光を制御する制御手段と、
前記表示パネルにおける前記発光手段による照射光の光量分布を示す光量情報を算出する算出手段と、
を有し、
前記第２の画像表示装置は、
入力される画像データに基づく画像を表示する表示パネルと、
複数の光源ブロックを有し前記表示パネルに光を照射する発光手段と、
画像データを入力するとともに、他の画像表示装置においてその画像データが表示さ
れた時の当該他の画像表示装置の表示パネルにおける当該他の画像表示装置の発光手段による照射光の光量分布を示す光量情報を入力する入力手段と、
前記表示パネルにおける前記発光手段による照射光の光量分布が、前記光量情報に示される光量分布に一致又は近似するように、前記複数の光源ブロックのそれぞれの発光を制御する制御手段と、
を有し、
前記画像出力装置は、
前記第１の画像表示装置へ画像データを出力した場合に、当該第１の画像表示装置が算出した光量情報を取得し、当該画像データと前記光量情報とを関連付けて記憶し、前記画像データを前記第２の画像表示装置へ出力する場合に、前記画像データとともに前記画像データに関連付けられた前記光量情報を出力する出力手段を有する画像出力装置。
【請求項４】
前記第１の画像表示装置へ出力した前記画像データを、発光手段を有しない第３の画像表示装置へ出力する場合に、前記画像データに対して、前記画像データに関連付けられた前記光量情報に基づき画像処理を行う画像処理手段を有し、
前記出力手段は、前記第１の画像表示装置へ出力した前記画像データを前記第３の画像表示装置へ出力する場合に、前記画像処理手段により前記画像処理を行った後の画像データを出力する請求項３に記載の画像出力装置。
【請求項５】
前記光量情報は、或る光源ブロックからの光が拡散することによるその光源ブロックの周辺の光源ブロックに対応する表示パネルにおける光量に基づき算出されることを特徴とする請求項３又は４に記載の画像出力装置。
【請求項６】
入力される画像データに基づく画像を表示する表示パネルと、
複数の光源ブロックを有し前記表示パネルに光を照射する発光手段と、
を有する画像表示装置の制御方法であって、
画像データを入力するとともに、他の画像表示装置においてその画像データが表示された時の当該他の画像表示装置の表示パネルにおける当該他の画像表示装置の発光手段による照射光の光量分布を示す光量情報を入力する工程と、
前記表示パネルにおける前記発光手段による照射光の光量分布が、前記光量情報に示される光量分布に一致又は近似するように、前記複数の光源ブロックのそれぞれの発光を制御する工程と、
を有する画像表示装置の制御方法。
【請求項７】
前記表示パネルにおける前記発光手段による照射光の光量分布と、前記光量情報に示される光量分布と、が一致しない場合、照射光の光量が一致しない領域の画像データに対し、照射光の光量の差分に基づき輝度を補正する工程を有し、
前記表示パネルは、前記補正後の画像データに基づく画像を表示する請求項６に記載の画像表示装置の制御方法。
【請求項８】
第１の画像表示装置及び第２の画像表示装置へ画像データを出力する画像出力装置の制御方法であって、
前記第１の画像表示装置は、
入力される画像データに基づく画像を表示する表示パネルと、
複数の光源ブロックを有し前記表示パネルに光を照射する発光手段と、
入力される画像データに応じて前記複数の光源ブロックのそれぞれの発光を制御する制御手段と、
前記表示パネルにおける前記発光手段による照射光の光量分布を示す光量情報を算出する算出手段と、
を有し、
前記第２の画像表示装置は、
入力される画像データに基づく画像を表示する表示パネルと、
複数の光源ブロックを有し前記表示パネルに光を照射する発光手段と、
画像データを入力するとともに、他の画像表示装置においてその画像データが表示された時の当該他の画像表示装置の表示パネルにおける当該他の画像表示装置の発光手段による照射光の光量分布を示す光量情報を入力する入力手段と、
前記表示パネルにおける前記発光手段による照射光の光量分布が、前記光量情報に示される光量分布に一致又は近似するように、前記複数の光源ブロックのそれぞれの発光を制御する制御手段と、
を有し、
前記画像出力装置の制御方法は、
前記第１の画像表示装置へ画像データを出力した場合に、当該第１の画像表示装置が算出した光量情報を取得する工程と、
当該画像データと前記光量情報とを関連付けて記憶する工程と、
前記画像データを第２の画像表示装置へ出力する場合に、前記画像データとともに前記画像データに関連付けられた前記光量情報を出力する工程と、
を有する画像出力装置の制御方法。
【請求項９】
前記第１の画像表示装置へ出力した前記画像データを、発光手段を有しない第３の画像表示装置へ出力する場合に、前記画像データに対して、前記画像データに関連付けられた前記光量情報に基づき画像処理を行う工程を有し、
前記出力する工程では、前記画像処理を行った後の画像データを出力する請求項８に記載の画像出力装置の制御方法。
【請求項１０】
前記光量情報は、或る光源ブロックからの光が拡散することによるその光源ブロックの周辺の光源ブロックに対応する表示パネルにおける光量に基づき算出されることを特徴とする請求項８又は９に記載の画像出力装置の制御方法。
【請求項１１】
第１の画像表示装置と、第２の画像表示装置と、第１の画像表示装置及び第２の画像表示装置へ画像データを出力する画像出力装置と、を有する画像表示システムであって、
前記第１の画像表示装置は、
入力される画像データに基づく画像を表示する表示パネルと、
複数の光源ブロックを有し前記表示パネルに光を照射する発光手段と、
入力される画像データに応じて前記複数の光源ブロックのそれぞれの発光を制御する制御手段と、
前記表示パネルにおける前記発光手段による照射光の光量分布を示す光量情報を算出する算出手段と、
を有し、
前記第２の画像表示装置は、
入力される画像データに基づく画像を表示する表示パネルと、
複数の光源ブロックを有し前記表示パネルに光を照射する発光手段と、
画像データを入力するとともに、他の画像表示装置においてその画像データが表示された時の当該他の画像表示装置の表示パネルにおける当該他の画像表示装置の発光手段による照射光の光量分布を示す光量情報を入力する入力手段と、
前記表示パネルにおける前記発光手段による照射光の光量分布が、前記光量情報に示される光量分布に一致又は近似するように、前記複数の光源ブロックのそれぞれの発光を制御する制御手段と、
を有し、
前記画像出力装置は、
前記第１の画像表示装置へ画像データを出力した場合に、当該第１の画像表示装置が
算出した光量情報を取得し、当該画像データと前記光量情報とを関連付けて記憶し、前記画像データを前記第２の画像表示装置へ出力する場合に、前記画像データとともに前記画像データに関連付けられた前記光量情報を出力する出力手段を有する画像表示システム。
【手続補正２】
【補正対象書類名】明細書
【補正対象項目名】０００８
【補正方法】変更
【補正の内容】
【０００８】
本発明は、入力される画像データに基づく画像を表示する表示パネルと、
複数の光源ブロックを有し前記表示パネルに光を照射する発光手段と、
画像データを入力するとともに、他の画像表示装置においてその画像データが表示された時の当該他の画像表示装置の表示パネルにおける当該他の画像表示装置の発光手段による照射光の光量分布を示す光量情報を入力する入力手段と、
前記表示パネルにおける前記発光手段による照射光の光量分布が、前記光量情報に示される光量分布に一致又は近似するように、前記複数の光源ブロックのそれぞれの発光を制御する制御手段と、
を有する画像表示装置である。
【手続補正３】
【補正対象書類名】明細書
【補正対象項目名】０００９
【補正方法】変更
【補正の内容】
【０００９】
本発明は、第１の画像表示装置及び第２の画像表示装置へ画像データを出力する画像出力装置であって、
前記第１の画像表示装置は、
入力される画像データに基づく画像を表示する表示パネルと、
複数の光源ブロックを有し前記表示パネルに光を照射する発光手段と、
入力される画像データに応じて前記複数の光源ブロックのそれぞれの発光を制御する制御手段と、
前記表示パネルにおける前記発光手段による照射光の光量分布を示す光量情報を算出する算出手段と、
を有し、
前記第２の画像表示装置は、
入力される画像データに基づく画像を表示する表示パネルと、
複数の光源ブロックを有し前記表示パネルに光を照射する発光手段と、
画像データを入力するとともに、他の画像表示装置においてその画像データが表示された時の当該他の画像表示装置の表示パネルにおける当該他の画像表示装置の発光手段による照射光の光量分布を示す光量情報を入力する入力手段と、
前記表示パネルにおける前記発光手段による照射光の光量分布が、前記光量情報に示される光量分布に一致又は近似するように、前記複数の光源ブロックのそれぞれの発光を制御する制御手段と、
を有し、
前記画像出力装置は、
前記第１の画像表示装置へ画像データを出力した場合に、当該第１の画像表示装置が算
出した光量情報を取得し、当該画像データと前記光量情報とを関連付けて記憶し、前記画像データを前記第２の画像表示装置へ出力する場合に、前記画像データとともに前記画像データに関連付けられた前記光量情報を出力する出力手段を有する画像出力装置である。
【手続補正４】
【補正対象書類名】明細書
【補正対象項目名】００１０
【補正方法】変更
【補正の内容】
【００１０】
本発明は、入力される画像データに基づく画像を表示する表示パネルと、
複数の光源ブロックを有し前記表示パネルに光を照射する発光手段と、
を有する画像表示装置の制御方法であって、
画像データを入力するとともに、他の画像表示装置においてその画像データが表示された時の当該他の画像表示装置の表示パネルにおける当該他の画像表示装置の発光手段による照射光の光量分布を示す光量情報を入力する工程と、
前記表示パネルにおける前記発光手段による照射光の光量分布が、前記光量情報に示される光量分布に一致又は近似するように、前記複数の光源ブロックのそれぞれの発光を制御する工程と、
を有する画像表示装置の制御方法である。
【手続補正５】
【補正対象書類名】明細書
【補正対象項目名】００１１
【補正方法】変更
【補正の内容】
【００１１】
本発明は、第１の画像表示装置及び第２の画像表示装置へ画像データを出力する画像出力装置の制御方法であって、
前記第１の画像表示装置は、
入力される画像データに基づく画像を表示する表示パネルと、
複数の光源ブロックを有し前記表示パネルに光を照射する発光手段と、
入力される画像データに応じて前記複数の光源ブロックのそれぞれの発光を制御する制御手段と、
前記表示パネルにおける前記発光手段による照射光の光量分布を示す光量情報を算出する算出手段と、
を有し、
前記第２の画像表示装置は、
入力される画像データに基づく画像を表示する表示パネルと、
複数の光源ブロックを有し前記表示パネルに光を照射する発光手段と、
画像データを入力するとともに、他の画像表示装置においてその画像データが表示された時の当該他の画像表示装置の表示パネルにおける当該他の画像表示装置の発光手段による照射光の光量分布を示す光量情報を入力する入力手段と、
前記表示パネルにおける前記発光手段による照射光の光量分布が、前記光量情報に示される光量分布に一致又は近似するように、前記複数の光源ブロックのそれぞれの発光を制御する制御手段と、
を有し、
前記画像出力装置の制御方法は、
前記第１の画像表示装置へ画像データを出力した場合に、当該第１の画像表示装置が算出した光量情報を取得する工程と、
当該前記画像データと前記光量情報とを関連付けて記憶する工程と、
前記画像データを第２の画像表示装置へ出力する場合に、前記画像データとともに前記画像データに関連付けられた前記光量情報を出力する工程と、
を有する画像出力装置の制御方法である。
【手続補正６】
【補正対象書類名】明細書
【補正対象項目名】００１２
【補正方法】変更
【補正の内容】
【００１２】
本発明は、第１の画像表示装置と、第２の画像表示装置と、第１の画像表示装置及び第２の画像表示装置へ画像データを出力する画像出力装置と、を有する画像表示システムであって、
前記第１の画像表示装置は、
入力される画像データに基づく画像を表示する表示パネルと、
複数の光源ブロックを有し前記表示パネルに光を照射する発光手段と、
入力される画像データに応じて前記複数の光源ブロックのそれぞれの発光を制御する制御手段と、
前記表示パネルにおける前記発光手段による照射光の光量分布を示す光量情報を算出する算出手段と、
を有し、
前記第２の画像表示装置は、
入力される画像データに基づく画像を表示する表示パネルと、
複数の光源ブロックを有し前記表示パネルに光を照射する発光手段と、
画像データを入力するとともに、他の画像表示装置においてその画像データが表示された時の当該他の画像表示装置の表示パネルにおける当該他の画像表示装置の発光手段による照射光の光量分布を示す光量情報を入力する入力手段と、
前記表示パネルにおける前記発光手段による照射光の光量分布が、前記光量情報に示される光量分布に一致又は近似するように、前記複数の光源ブロックのそれぞれの発光を制御する制御手段と、
を有し、
前記画像出力装置は、
前記第１の画像表示装置へ画像データを出力した場合に、当該第１の画像表示装置が算出した光量情報を取得し、当該画像データと前記光量情報とを関連付けて記憶し、前記画像データを前記第２の画像表示装置へ出力する場合に、前記画像データとともに前記画像データに関連付けられた前記光量情報を出力する出力手段を有する画像表示システムである。